(57)【特許請求の範囲】
【請求項１】
魚釣用リールのリール脚を収容できる開口を形成するように膨出する膨出部を有する筒状の移動フードを操作ナットによって軸方向に移動させるリール脚固定装置であって、前記移動フードの端部に設けられる屈曲した係止部を前記操作ナットの端部の凹部に係合させることにより前記操作ナットと前記移動フードとが連結されるリール脚固定装置において、
前記移動フードは、強化繊維に合成樹脂を含浸させた繊維強化樹脂材によって形成され、前記操作ナットと前記移動フードとの連結部に位置する前記繊維強化樹脂材の外周または内周には、前記連結部での前記移動フードの変形を抑制する補強部材が設けられており、
前記繊維強化樹脂材は、強化繊維に合成樹脂を含浸させてシート状に形成したプリプレグシートで構成されると共に、少なくとも軸方向に指向する強化繊維を有しており、前記軸方向に指向する強化繊維は、少なくとも前記連結部で連続して延びていることを特徴とするリール脚固定装置。
【請求項２】
前記補強部材は、金属製のリング状部材で構成されることを特徴とする請求項１に記載のリール脚固定装置。
【請求項３】
前記補強部材は、周方向に指向する強化繊維を有するプリプレグシートで構成されることを特徴とする請求項１に記載のリール脚固定装置。
【請求項４】
少なくとも軸方向に指向する前記強化繊維は、前記係止部の先端から前記係止部の屈曲部を経由して前記膨出部側へ向けて連続して延びていることを特徴とする請求項１から３のいずれか１項に記載のリール脚固定装置。
【請求項５】
少なくとも軸方向に指向する前記強化繊維は、前記移動フードのほぼ全長にわたって連続して延びていることを特徴とする請求項１から４のいずれか１項に記載のリール脚固定装置。
【発明の詳細な説明】
【技術分野】
【０００１】
本発明は、釣竿に装着され、各種の魚釣用リールを取り付け可能とするリール脚固定装置に関する。
【背景技術】
【０００２】
従来、例えば、特許文献１に開示されているように、軸長方向に離間する移動フードと固定フードとを備え、リール脚の一端を固定フードに差し込むとともにリール脚の他端を軸方向に移動する移動フードで押え付けることにより魚釣用リールを固定するタイプのリール脚固定装置が知られている。この場合、固定フードおよび移動フードは、釣竿の元竿杆の外周に被着されるパイプ状のリールシートに配設されており、移動フードに隣接配置された操作ナットを回転することで移動フードを固定フードに対して接近／離反させ、これにより、魚釣用リールの着脱がなされる。通常、リール脚固定装置の移動フード（以下、フード部とも称する）は金属材料で形成されることが多く、差し込まれるリール脚が当接する部分（フード部の内面）に合成樹脂によるパッド部を配設するようにしている。
【０００３】
ところで、最近では、釣竿の軽量化を図ることが求められており、上記したようにフード部を金属材料で形成することは、軽量化の妨げとなってしまう。このため、例えば、特許文献２には、合成樹脂によってフード部を成形することが開示されている。
【先行技術文献】
【特許文献】
【０００４】
【特許文献１】実開昭５７−１８７０６４号
【特許文献２】特開２００９−６５８６８号
【発明の概要】
【発明が解決しようとする課題】
【０００５】
前述したように、リール脚固定装置は、移動フードに隣接配置された操作ナットを回転することで移動フードを固定フードに対して接近／離反させるが、そのような接近／離反は、具体的には、操作ナットの先端部を移動フードの基端部と連結させるとともに、操作ナットを締め付ける方向に回転操作した際に、移動フードを回転させることなく固定フード側に移動させ、かつ、操作ナットを緩める方向に回転操作した際に、移動フードを回転させることなく固定フードから離れる方向に移動させることによって成される。そして、この場合、操作ナットの先端部と移動フードの基端部との連結は、一般に、特許文献２にも開示されるように、操作ナット１８の先端部に環状の凹陥部を形成し、移動フードの基端部に環状を成して設けられる屈曲したフック状の係止突起を前記凹陥部内に係合させることにより成される。
【０００６】
したがって、操作ナットと移動フードとのこのような連結部には、操作ナットを締め付けてリール脚を移動フードと固定フードとの間で押さえ付ける際に大きな押圧力が作用するとともに、そのように押さえ付けた状態から操作ナットを緩めて移動フードを固定フードから引き離す際にも大きな引張り力が作用する。そして、このような力は、連結部、特に移動フードのフック状の係止突起の屈曲部に応力集中を生じさせ、係止突起を凹陥部から離脱させるような拡径方向の変形を移動フードの基端部に引き起こそうとする。
【０００７】
そのため、前述した特許文献２に開示されるように移動フードを合成樹脂で形成する場合には、この連結部、特に移動フードの係止突起で十分な強度を確保する必要がある。すなわち、軽量化のために移動フードを樹脂で形成する場合には、応力集中を引き起こし易いこのような連結部で十分な強度を確保することが必要不可欠であり、さもなければ連結部（特に移動フードの係止突起）で破断を引き起こす場合もある。しかしながら、強度確保のために肉厚が大きくなりすぎては、重量増を招き、軽量化の流れから逆行する結果となる。つまり、軽量化においても可能な限り薄肉厚化を図ることが望ましく、強度確保を含めた効率的且つ効果的な軽量化が望まれる。
【０００８】
本発明は、前述した問題に着目してなされたものであり、操作ナットと移動フードとの連結部で十分な強度を確保しつつ、移動フードの薄肉厚化および軽量化を効果的に且つ効率的に図ることができるリール脚固定装置を提供することを目的とする。
【課題を解決するための手段】
【０００９】
前述した目的を達成するために、本発明は、魚釣用リールのリール脚を収容できる開口を形成するように膨出する膨出部を有する筒状の移動フードを操作ナットによって軸方向に移動させるリール脚固定装置であって、前記移動フードの端部に設けられる屈曲した係止部を前記操作ナットの端部の凹部に係合させることにより前記操作ナットと前記移動フードとが連結されるリール脚固定装置において、前記移動フードは、強化繊維に合成樹脂を含浸させた繊維強化樹脂材によって形成され、前記操作ナットと前記移動フードとの連結部に位置する前記繊維強化樹脂材の外周または内周には、前記連結部での前記移動フードの変形を抑制する補強部材が設けられることを特徴とする。
【００１０】
上記構成のリール脚固定装置によれば、強化繊維に合成樹脂を含浸させた繊維強化樹脂材によって移動フードが形成されるため、移動フードを合成樹脂のみによって形成する場合に比べて強度を向上させることができ、したがって、必要十分な強度を確保しつつ薄肉厚化を図ることも可能となる。すなわち、移動フードに関して、十分な強度を確保しつつ薄肉厚化および軽量化を効果的に且つ効率的に図ることができる。
【００１１】
また、上記構成では、操作ナットと移動フードとの連結部に位置する繊維強化樹脂材の外周または内周に、連結部での移動フードの変形、特に径方向外側への変形を抑制する補強部材が設けられているため、連結部で十分な強度を確保でき、連結部で破損等を回避できる。すなわち、前述したように、操作ナットを締め込む際または緩める際には、移動フードの連結部に作用する固有の押圧力または引張り力に基づく径方向外側に向かう力により、繊維強化樹脂材を構成する強化繊維の量や指向方向によっては、連結部に対応する繊維強化樹脂材の部位で破断が生じる虞があるが、本発明に係る上記構成では、連結部に固有のこのような作用力に抗するべく、連結部に位置する繊維強化樹脂材の外周または内周に、連結部での移動フードの変形を抑制する補強部材が設けられているため、そのような破断を効果的に防止できる。
【発明の効果】
【００１２】
本発明によれば、操作ナットと移動フードとの連結部で十分な強度を確保しつつ、移動フードの薄肉厚化および軽量化を効果的に且つ効率的に図ることができるリール脚固定装置が得られるようになる。
【図面の簡単な説明】
【００１３】
【図１】リール脚固定装置が装着された釣竿の一例を示す図である。
【図２】本発明に係るリール脚固定装置の第１の実施形態を示す側面図である。
【図３】図２に示すリール脚固定装置において、移動フードの構成を示す部分断面図である。
【図４】（ａ）は図３の主要部の拡大図、（ｂ）は図（ａ）に示す移動フードを開口側から見た図である。
【図５】（ａ）は、移動フードを操作ナットに接続した斜視図、（ｂ）は（ａ）の側断面図、（ｃ）は、移動フードの成形方法の一態様を示す概略側面図である。
【図６】本発明の第２の実施形態に係るリール脚固定装置の移動フードおよびそれに連結される操作ナットの側断面図である。
【図７】本発明の第３の実施形態に係るリール脚固定装置の移動フードおよびそれに連結される操作ナットの側断面図である。
【図８】本発明の第４の実施形態に係るリール脚固定装置の移動フードおよびそれに連結される操作ナットの側断面図である。
【図９】本発明の第５の実施形態に係るリール脚固定装置の移動フードおよびそれに連結される操作ナットの側断面図である。
【図１０】本発明の第６の実施形態に係るリール脚固定装置の移動フードおよびそれに連結される操作ナットの側断面図である。
【発明を実施するための形態】
【００１４】
図１は、本発明に係るリール脚固定装置が装着される釣竿の一例を示す図である。
釣竿１は、複数の竿杆を継合することで構成されており、本実施形態では、元竿杆３、中竿杆５、および、穂先竿杆７の３本の竿杆を並継式で継合している。中竿杆５については無い構成であっても良いし、４本以上継合する構成であってもよい。また、釣竿は、並継式以外にも、１本竿、振り出し竿、中通し式など、その構成については特に限定されることはない。
【００１５】
元竿杆３には、魚釣用リール７０が装着されるリール脚固定装置１０が設けられ、各竿杆には、所定間隔をおいて、魚釣用リールから繰り出される釣糸を案内する複数の釣糸ガイド８（穂先竿杆７の先端はトップガイド８ａ）が装着されている。釣糸ガイド８については、竿杆に対して固定される固定ガイドとして構成されていてもよいし、竿杆に沿って摺動可能な遊動ガイドとして構成されていてもよい。
【００１６】
元竿杆３、中竿杆５、および、穂先竿杆７は、強化繊維（例えば炭素繊維やガラス繊維等）に、エポキシ樹脂等の合成樹脂を含浸した繊維強化樹脂材で構成されており、管状体、或いは、中実体として構成されている。
【００１７】
元竿杆３に設けられるリール脚固定装置１０は、固定フードと軸方向に移動する移動フードとを備えており、魚釣用リールのリール脚を固定フードに差し込んだ状態で、移動フードを軸方向に移動させることにより魚釣用リールを着脱する構成となっている。この場合、固定フードは、穂先側にあっても良いし、基端側にあってもよい。
【００１８】
以下、図２〜図４を参照して、本実施形態のリール脚固定装置１０の構成について具体的に説明する。
リール脚固定装置１０は、元竿杆３に対して外嵌される筒状に形成されたリールシート本体（以下、単に本体と称する）１１を備えている。本体１１は、例えば、合成樹脂によって一体形成されており、魚釣用リール７０のリール脚７１が載置される載置面１２と、載置面１２の穂先側に配設された固定フード１３と、載置面１２の基端側に配設された移動フード１５とを備えている。
【００１９】
固定フード１３は、本体１１に一体形成され、リール脚７１の先端側脚部７１ａを収容できるように膨出したフード部１３Ａを備えており、リール脚７１の先端側脚部７１ａは、フード部１３Ａの開口１３ａを介して挿入される。なお、フード部１３Ａは、後述する移動フードのフード部と同様、本体１１と別体として形成され、本体１１と一体化される構成であっても良い。
【００２０】
移動フード１５は、軸方向に沿って移動可能に構成され、本体１１と別体として形成されたフード部１５Ａを備えている。本実施形態のフード部１５Ａは、リール脚７１の基端側脚部７１ｂを収容できるように膨出した膨出部１５ａと、膨出部１５ａの基端側に一体形成された円筒部１５ｂとを備えている。すなわち、膨出部１５ａは、円筒部１５ｂの外周の所定範囲の円弧領域が穂先側に移行するに連れて次第に上昇する形状となっており、リール脚７１の基端側脚部７１ｂは、そのような膨出部１５ａの開口１５ｃを介して挿入される。
【００２１】
膨出部１５ａの内側には、挿入されるリール脚７１の基端側脚部７１ｂの表面と圧接するようにパッド部材１６が配設されている。このパッド部材１６は、移動フード１５が固定フード１３側に向けて移動された際、リール脚７１の基端側脚部７１ｂの表面に押し付けられる部分であり、リール脚７１を強固に固定する機能を有する。すなわち、パッド部材１６は、リール脚７１の基端側脚部７１ｂの表面と対応する形状に形成されており、その突起１６ａを移動フード１５の膨出部１５ａに形成された孔１５ｄに嵌合することで膨出部１５ａの内面と一体化される。
【００２２】
本体１１の基端側には、雄螺子部１１ａが一体形成されており、この雄螺子部１１ａには、回転操作することで軸方向に沿って移動する操作ナット１８が螺合されている。操作ナット１８は、その先端部が移動フード１５（フード部１５Ａの円筒部１５ｂ）と連結している。なお、ここでの連結関係は、操作ナット１８を締め付ける方向に回転操作した際、移動フード１５を回転させることなく固定フード側に移動させ、かつ、操作ナット１８を緩める方向に回転操作した際、移動フード１５を回転させることなく、固定フード１３から離れる方向に移動させるものであれば良い。
【００２３】
具体的には、図４（ａ）に示すように、操作ナット１８の円筒部１５ｂ側の端縁１８ｅに環状突起１８ａを形成し、この先端に径方向外方に突出する係止突起１８ｆを形成することにより、操作ナット１８の先端部外周面に環状の凹部１８ｇを形成するとともに、移動フード１５の円筒部１５ｂの操作ナット１８側の端縁（基端縁）１５ｅに、径方向内方に突出するフック状に屈曲した係止部としての環状の係止突起１５ｆを形成し、係止突起１５ｆを凹部１８ｇに係止させることにより、操作ナット１８と移動フード１５とが連結される。その連結部が図４の（ａ）に参照符号２０で示されている。
【００２４】
このような操作部材１８とフード部１５Ａ（円筒部１５ｂ）の係合（連結）関係によれば、操作ナット１８を締め付ける方向に回転操作すると、操作ナット１８は固定フード１３側に向けて螺進するとともに、移動フード１５（フード部１５Ａの円筒部１５ｂ）は回転することなく、端縁１８ｅと端縁１５ｅとの当接関係によって固定フード１３側に向けて移動される。すなわち、載置面１２に載置されたリール脚７１は、固定フード１３と移動フード１５との間で締め付け固定される。また、操作ナット１８を緩める方向に回転操作すると、操作ナット１８は固定フード１３から離れる方向に螺進するとともに、移動フード１５（フード部１５Ａの円筒部１５ｂ）は回転することなく、係止突起１５ｆと凹部１８ｇとの係合関係によって固定フード１３から離反する方向に向けて移動される。すなわち、載置面１２に載置されたリール脚７１を固定フード１３および移動フード１５から取り外すことが可能となる。
【００２５】
上記構成の移動フード１５（フード部１５Ａ）は、一定の強度が維持されて軽量化が図れるように、強化繊維（例えば炭素繊維やガラス繊維等）に合成樹脂を含浸させた繊維強化樹脂材で構成されており、本実施形態では、プリプレグシート４０（図５の（ｂ）（ｃ）参照）で形成されている。この場合、プリプレグシート４０は、強化繊維が例えば軸方向、軸方向に対して９０°を成す周方向、あるいは、軸方向に対して９０°未満の角度を成す傾斜方向に引き揃えられたシート状、或いは強化繊維が編成されたシート状に構成されており、熱可塑性樹脂（例えば、ナイロン、ポリプロピレン、ポリフェニルサルファイド、熱可塑ポリウレタン）や熱硬化性樹脂（例えば、エポキシ樹脂、フェノール樹脂、ポリエステル樹脂）をマトリックス樹脂として含浸した構成となっている。
【００２６】
なお、移動フード１５をプリプレグシート４０で形成する場合、移動フード１５は、所定形状に形成された図示しないマンドレルにプリプレグシート４０を巻回し、これを加熱して合成樹脂を硬化した後、マンドレルを脱芯することで成形される。なお、この場合、マンドレルは、例えば、連結部２０に対応する移動フード１５の係止突起１５ｆの図５の（ｂ）に示されるような屈曲部４４を形成するための段差を有するべく大径の円柱部と小径の円柱部とを有する。また、前記段差で炭素繊維を屈曲させて屈曲部４４を形成するために、プリプレグシート４０の外周に図示しない緊締テープを巻いてプリプレグシート４０を緊締してもよい。さらに、プリプレグシート４０は、移動フード１５の形状や耐久性などを考慮して、図に示すように、複数層で構成されていてもよく、各層における強化繊維の配置（方向性、編成状態等）については適宜変形することが可能である。
【００２７】
図５の（ａ）（ｂ）には、このようにしてプリプレグシート４０により成形された移動フード１５を操作ナット１８に接続（連結）した斜視図（図５の（ａ））および側断面図（図５の（ｂ））がそれぞれ示されている。この連結状態については図４の（ｂ）に関連して既に説明したため、ここでは説明しない。
【００２８】
図５の（ｂ）に示される例では、移動フード１５を形成するプリプレグシート４０を複数層とし、各層における強化繊維４２が軸方向に指向されている。特に、この例では、連結部２０（特に屈曲部４４）で軸方向に指向する強化繊維４２の層が径方向で２つの層４０Ａ，４０Ｂに分かれている。このような２層構造は、例えば、図５の（ｃ）に示されるように、所定形状に成形した後、プリプレグシート４０の内面の所定の部位Ｃ１，Ｃ２を例えば切削加工することによって得られてもよい。
【００２９】
また、本実施形態では、連結部２０に位置する繊維強化樹脂材（プリプレグシート４０）の外周に、連結部２０での移動フード１５の径方向外側への変形を抑制する補強部材６０が設けられる。具体的には、移動フード１５の係止突起１５ｆの外周（屈曲部４４の直ぐ先端側（膨出部１５ａへと向かう側））に、金属製のリング状の部材（金属リング）で構成される補強部材６０が嵌着されており、この補強部材６０は、この部位のプリプレグシート４０の径方向外側への変形を抑制する機能を備えている。すなわち、このようなリング状の部材による補強部材を配設することで、連結部の部位に応力集中が生じることはなく、また、凹部１８ｇからの係止突起１５ｆの離脱も防止する。なお、補強部材６０は、金属リングではなく、周方向に指向する強化繊維を有するプリプレグシートから成っていてもよい。
【００３０】
以上説明したように、本実施形態のリール脚固定装置１０によれば、強化繊維に合成樹脂を含浸させた繊維強化樹脂材によって移動フード１５が形成されるため、移動フード１５を合成樹脂のみによって形成する場合に比べて強度を向上させることができ、したがって、必要十分な強度を確保しつつ薄肉厚化を図ることも可能となる。すなわち、移動フード１５に関して、十分な強度を確保しつつ薄肉厚化および軽量化を効果的に且つ効率的に図ることができる。
【００３１】
また、本実施形態では、操作ナット１８と移動フード１５との連結部２０に位置する繊維強化樹脂材（プリプレグシート４０）の外周に、連結部２０での移動フード１５の径方向外側への変形を抑制する補強部材６０が設けられているため、連結部２０で十分な強度を確保でき、連結部で破損等を回避できる。すなわち、例えば本実施形態のように軸方向に指向する強化繊維４２が連結部２０で連続していない場合、具体的には図５の（ｂ）に示されるように連結部２０（特に屈曲部４４）で軸方向に指向する強化繊維の層が径方向で２つ以上の層４０Ａ，４０Ｂに分かれている場合には、操作ナット１８を締め込む際または緩める際に移動フード１５の連結部２０に作用する固有の押圧力または引張り力に基づく径方向外側に向かう力によって、径方向で分かれた層４０Ａ，４０Ｂ同士がその界面で軸方向に沿って破断する虞があるが、本実施形態の構成では、連結部２０に固有のこのような作用力に抗するべく、連結部２０に位置する繊維強化樹脂材（プリプレグシート４０）の外周に、連結部２０での移動フード１５の変形、特に径方向外側への変形を抑制する補強部材６０が設けられているため、そのような破断を効果的に防止できる。
【００３２】
図６には、本発明の第２の実施形態に係るリール脚固定装置の移動フード１５およびそれに連結される操作ナット１８の側断面図が示される。図示のように、本実施形態においても、連結部２０に位置する繊維強化樹脂材（プリプレグシート４０）の外周に、連結部２０での移動フード１５の径方向外側への変形を抑制する補強部材６４が設けられる。具体的には、第１の実施形態に係る移動フード１５の係止突起１５ｆの外周に、より具体的には、屈曲部４４を跨ぐように、金属リング等で構成される補強部材６４が嵌着されている。したがって、補強部材６４は、屈曲部４４の先端側で軸方向に延びる円筒部６４ａと、屈曲部４４から径方向内側に延びる屈曲フランジ６４ｂとを有する。このような補強部材６４は、この部位のプリプレグシート４０の径方向外側および軸方向外側への変形を抑制することでこの部位に応力集中が生じないようにし、したがって、凹部１８ｇからの係止突起１５ｆの離脱も防止する。なお、補強部材６４は、金属リングではなく、周方向に指向する強化繊維を有するプリプレグシート等で構成してもよい。そのような周方向指向の強化繊維を有するプリプレグシートによってもプリプレグシート４０の変形を効果的に抑制することができる。
【００３３】
図７には、本発明の第３の実施形態に係るリール脚固定装置の移動フード１５およびそれに連結される操作ナット１８の側断面図が示される。図示のように、本実施形態では、操作ナット１８の凹部１８ｇ'が第１の実施形態の凹部１８ｇよりも軸方向に長く形成され、これに対応して凹部１８ｇ'に係止する移動フード１５の係止突起１５ｆ'も屈曲部４４から基端側が軸方向に長く形成される。このような構成においても、第１の実施形態と同様の作用効果が得られるとともに、連結部２０の連結状態（係止状態）がより強固となり、連結部２０の剛性を更に高めることができる。
【００３４】
また、この実施形態では、この構成に加えて更に、連結部２０に位置する繊維強化樹脂材（プリプレグシート４０）の外周に、連結部２０での移動フード１５の径方向外側への変形を抑制する補強部材６６が設けられる。具体的には、移動フード１５の係止突起１５ｆ'の外周（屈曲部４４から操作ナット１８側の外周）に、金属リング等で構成される補強部材６６が嵌着されており、この補強部材６６は、この部位のプリプレグシート４０の径方向外側への変形を抑制してこの部位に応力集中が生じないようにしている。したがって、凹部１８ｇ'からの係止突起１５ｆ'の離脱も防止する。なお、補強部材６０は、金属リングではなく、周方向に指向する強化繊維を有するプリプレグシート等で構成してもよい。そのような周方向指向の強化繊維を有するプリプレグシートによってもプリプレグシート４０の変形を効果的に抑制することができる。
【００３５】
図８には、本発明の第４の実施形態に係るリール脚固定装置の移動フード１５およびそれに連結される操作ナット１８の側断面図が示される。図示のように、本実施形態において、移動フード１５は、軸方向に指向する強化繊維４２が少なくとも操作ナット１８と移動フード１５との連結部２０で（例えば、屈曲部４４を経由して移動フード１５のほぼ全長にわたって）途切れることなく連続して延びている。この場合、軸方向に指向する強化繊維４２は、係止突起１５ｆの先端（移動フード１５の基端で径方向内側に面する端面）から係止突起１５ｆの屈曲部４４を経由して膨出部１５ａ側へ向けて途切れることなく連続して延びている。なお、それ以外の構成は、図６に示される第２の実施形態と同様である。すなわち、第２の実施形態と同様の補強部材６４が連結部２０に位置する繊維強化樹脂材の外周に設けられる。
【００３６】
このように、連結部２０では、軸方向に指向する強化繊維４２が２つの層４０Ａ，４０Ｂに分かれている必要はなく、強化繊維４２が途切れることなく連続して延びていてもよい。すなわち、積層したプリプレグシート４０の操作ナット側の端部を切削等するのではなく（図５（ｃ）で示したような切削加工等によって２層構造にするのではなく）、端部を径方向内側に屈曲させることで、強化繊維４２を切断することなく係止突起１５ｆを形成することが可能である。このように、軸方向に指向する強化繊維４２が少なくとも応力集中を引き起こし易い操作ナット１８と移動フード１５との連結部２０で途切れることなく連続して延びていれば、連結部２０で十分な強度を確保でき、連結部２０で破損等を回避できる。なお、前記プリプレグシート４０は、軸方向に指向する強化繊維が移動フードのほぼ全長にわたって連続して延びていることが好ましく、これにより移動フード全体の強度を高めることが可能となる。この場合、軸方向に指向する強化繊維については、係止部の先端から屈曲部に亘る領域に配設されていればよく、これにより軸力及びねじれ力に対する剛性を高めることが可能となる。
【００３７】
図９には、本発明の第５の実施形態に係るリール脚固定装置の移動フード１５およびそれに連結される操作ナット１８の側断面図が示される。図示のように、本実施形態においても、図８に示した構成と同様、軸方向に指向する強化繊維４２が少なくとも操作ナット１８と移動フード１５との連結部２０で（例えば、移動フード１５のほぼ全長にわたって）途切れることなく連続して延びている。なお、それ以外の構成は、図７に示される第３の実施形態と同様である。すなわち、第３の実施形態と同様の補強部材６６が連結部２０に位置する繊維強化樹脂材の外周に設けられる。
【００３８】
図１０には、本発明の第６の実施形態に係るリール脚固定装置の移動フード１５およびそれに連結される操作ナット１８の側断面図が示される。前述した実施形態では、移動フード１５の径方向内側に突出する係止突起１５ｆ，１５ｆ'が操作ナット１８の外周面に形成された凹部１８ｇ，１８ｇ'に係止されていたが、本実施形態では、移動フード１５の径方向外側に突出する環状の係止突起１５ｆ"が操作ナット１８の内周面に形成された環状の凹部１８ｇ"に係止された逆の構成となっている。この場合、凹部１８ｇ"を形成する操作ナット１８の先端の径方向内側に突出する環状の係止突起１８ｆ'は、移動フード１５の外周面に形成される環状の凹部１５ｇに係止する。また、連結部２０に位置する繊維強化樹脂材の内周には、連結部２０での移動フード１５の径方向外側への変形を抑制する補強部材６９が設けられる。補強部材６９は、上述した実施形態のように、金属リングであってもよく、あるいは、周方向に指向する強化繊維を有するプリプレグシートから成っていてもよい。また、軸方向に指向する強化繊維４２は、連結部２０で途切れることなく連続して延びていてもよく、あるいは、径方向で２層に分かれていても構わない。このような構成においても、前述した各実施形態と同様の作用効果が得られる。
【００３９】
以上、本発明の実施形態について説明したが、本発明は、上記した構成に限定されることはなく、種々変形することが可能である。例えば、前述した実施形態では、移動フードや操作ナットの形態、並びに、係止突起や凹部の形態等は任意であり、要は、操作ナットと移動フードとの連結部に位置する繊維強化樹脂材の部位に、連結部での移動フードの変形を抑制する補強部材が設けられていればよい。なお、そのような補強部材は、操作ナットと移動フードとの連結部に位置する繊維強化樹脂材の外周および内周のいずれに設けられていてもよく、連結部での移動フードの変形を抑制するものであれば、その形状、構成材料、配設態様等については適宜変形することが可能である。また、補強部材については、リング状の部材以外のものを付加的に備えていてもよい。
【符号の説明】
【００４０】
１０  リール脚固定装置
１３  固定フード
１５  移動フード
１５ａ  膨出部
１５ｃ  開口
１５ｆ，１５ｆ'，１５ｆ"  係止突起（係止部）
１８  操作ナット
１８ｇ，１８ｇ'，１８ｇ"  凹部
２０  連結部
４０  プリプレグシート（繊維強化樹脂材）
４２  強化繊維
４４  屈曲部
６０，６４，６６  補強部材
７０  魚釣用リール
７１  リール脚
【図１】
0006730035.tif 000002
【図２】
0006730035.tif 000003
【図３】
0006730035.tif 000004
【図４】
0006730035.tif 000005
【図５】
0006730035.tif 000006
【図６】
0006730035.tif 000007
【図７】
0006730035.tif 000008
【図８】
0006730035.tif 000009
【図９】
0006730035.tif 000010
【図１０】
0006730035.tif 000011